(57)【要約】【課題】簡単な構造で、側面を浅く押すだけで容易に開封することができる包装用箱を提供する。【解決手段】互いに平行に連接され筒体に組み立てられる側面１４，１６，１８，２０が設けられ、側面２０には、筒体の端部に位置する開口を閉鎖する蓋片６４が、破断線４８で区切られて形成されている。蓋片６４が設けられた側面２０には、破断線４８に交差する開封用切断線５０を備える。開封用切断線５０と、破断線４８で囲まれた部分は、包装用箱１０を開封する時に押す押し部５２である。押し部５２を押して僅かに内側にへこませ、蓋片６４と側面２０の間に段差を形成し、蓋片６４の側縁部が突出した部分を引き上げて、破断線４８を切断して開封する。【選択図】図１
2020001702.tif 000002
【特許請求の範囲】
【請求項１】
互いに平行に連接され筒体に組み立てられる側面が設けられ、前記側面の一つには、前記筒体の端部に位置する開口を閉鎖する蓋片が破断線で区切られて設けられ、
前記蓋片が設けられた前記側面には、前記破断線に交差する開封用切断線が設けられ、前記開封用切断線と、前記破断線で囲まれた部分は、前記包装用箱を開封する時に押す押し部となることを特徴とする包装用箱。
【請求項２】
前記破断線と前記開封用切断線の間には、短い切り残し部が設けられている請求項１記載の包装用箱。
【請求項３】
前記開封用切断線は、一対設けられ、前記一対の開封用切断線は、使用者の指が入る程度の距離をおいて互いに略平行に設けられ、前記破断線の、前記押し部に含まれる位置には、長い全切線が１本設けられている請求項１記載の包装用箱。
【発明の詳細な説明】
【技術分野】
【０００１】
この発明は、開封用の破断線が設けられた包装用箱に関する。
【背景技術】
【０００２】
従来、紙製等のシートから一体的に打ち抜かれた箱体形成片から成り、互いに連接されて筒体に組み立てられる複数個の側面と、組立状態で筒体の端部に位置する開口を閉鎖する蓋片を有する包装用箱がある。この種の包装用箱の蓋片は、糊付けされて封止され、側面には、開封する際に破断する破断線が設けられている。
【０００３】
例えば、特許文献１、２に開示されている包装用箱は、４つの側面が四角筒体に組み立てられている。１つの側面には、筒体の端部に位置する開口を閉鎖する外蓋片が折罫線で区切られて設けられ、外蓋片は、裏面に重ねられた内蓋片に糊付けされて、開口を封止している。折罫線は、中心部分は押し罫線で形成され、両端部分は破断線で設けられている。外蓋片が設けられた側面には、折罫線に連続する部分に、コの字の開封用の切断線が設けられている。切断線の両端部は、御罫線の破断線に連続し、切断線と折罫線の中心部分で囲まれた矩形の部分は、開封する時に押して切断線と折罫線を切断する開封口となる。
【０００４】
その他、特許文献３に開示されているように、４つの側面の正面板に裏面板を重ねて設け、正面板の上端部に開封用の透孔が形成され、正面板の透孔から上蓋に向かって開封用の破断線が形成された包装用箱もある。透孔に対応して裏面板には、コ字状の切り込み線で囲まれた押圧吸収部が形成されている。この包装用箱の開封は、正面板の透孔から裏面板の押圧吸収部を指で押して、透孔上部の開封部と押圧吸収部との間に隙間を形成し、開封部の端縁に指を掛けて上方に引き上げて、破断線を破断させ、蓋片を開くものである。
【先行技術文献】
【特許文献】
【０００５】
【特許文献１】特開２０１２−１７１６７７号公報
【特許文献２】特開２０１８−１６３７３号公報
【特許文献３】特開２０１３−２２７０３６号公報
【発明の概要】
【発明が解決しようとする課題】
【０００６】
上記背景技術の特許文献１，２の場合、開封する際に、切断線を切断するために開封口を十分な深さまで押し込む必要がある。しかし、収容物が側面の裏側に隙間なく収容されている場合は、十分な深さまで押すことができず、開封することが難しい。しかも、開封口は、蓋片から斜め下方且つ内側に向かって押し込まれるため、開封時には斜め下方に内側に押し込まれた開封口を、引き上げて開封しなければならない。しかし、斜め下方に押し込まれた開封口を上方に引き上げるには、指が滑ったりして力が掛かり難くい。特に、収容物が隙間無く収容されている場合、この引き上げによる開封が難しい。また、収容物が柔らかく破損の恐れがある場合も、強く押すことができない。
【０００７】
特許文献２に開示された包装用箱の開封の場合、上記の指の掛かり難さを解消しているが、収容物が隙間無く収容されている場合の押し込みができず、引き上げによる開封が難しいと言う問題が残る。
【０００８】
この発明は、上記背景技術の問題点に鑑みてなされたものであり、簡単な構造で、側面を浅く押すだけで容易に開封することができる包装用箱を提供することを目的とする。
【課題を解決するための手段】
【０００９】
本発明は、互いに平行に連接され筒体に組み立てられる側面が設けられ、前記側面の一つには、前記筒体の端部に位置する開口を閉鎖する蓋片が破断線で区切られて設けられた包装用箱であり、前記蓋片が設けられた前記側面には、前記破断線に交差する開封用切断線が設けられ、前記開封用切断線と、前記破断線で囲まれた部分は、前記包装用箱を開封する時に押す押し部となる。この包装用箱を開封する時は、前記押し部を押して僅かに前記包装用箱の内側にへこませる。これにより、前記蓋片との間に段差が生じ、前記蓋片の側縁部が突出し、突出した前記蓋片の側縁部を引き上げて前記破断線を切断して開封する。
【００１０】
前記破断線と前記開封用切断線の間には、短い切り残し部が設けられている。前記開封用切断線は、一対設けられ、前記一対の開封用切断線は、使用者の指が入る程度の距離をおいて互いに略平行に設けられ、前記破断線の、前記押し部に含まれる位置には、長い全切線が１本設けられている。
【発明の効果】
【００１１】
本発明の包装用箱は、簡単な構造で、側面を浅く押し込むだけで容易に開封することができる。特に、収容物が、側面の裏面に隙間なく当接していても、側面の蓋片に近い端部に位置する押し部を少し押すだけで、蓋片を引き上げる際の手がかりを形成することができる。さらに、手がかりを保持して蓋片を引き上げながら蓋片と側面の間に位置する破断線を切断して、簡単に開封することができる。
【図面の簡単な説明】
【００１２】
【図１】この発明の第一実施形態の包装用箱の蓋片から見た斜視図（ａ）と蓋片を開封した状態を示す斜視図（ｂ）である。
【図２】この発明の第一実施形態の包装用箱の展開図である。
【図３】この発明の第二実施形態の包装用箱の展開図である。
【発明を実施するための形態】
【００１３】
以下、この発明の実施形態について図面に基づいて説明する。図１、図２はこの発明の第一実施形態を示すもので、この実施形態の包装用箱１０は、紙製等の一枚のシートを打ち抜いて形成された箱体形成片１２を組み立てて設けられている。
【００１４】
図２は、箱体形成片１２を表面から見た展開図であり、箱体形成片１２は、側面１４，１６，１８，２０が、互いに平行に連接して形成されている。側面１４，１６，１８，２０は、連接方向と直交する幅方向は互いに等しい矩形であり、連接方向の長さは、側面１６，２０が長く、側面１４，１８は短い。側面２０の側縁部には、包装用箱１０の組立状態で側面１４の裏面に糊付けされ筒体にする糊付片２２が設けられている。側面１４，１６，１８，２０、糊付片２２は、各々折罫線２４，２６，２８，３０で区切られている。
【００１５】
側面１４の、側面同士の連接方向に対して直角な方向の両端部には、矩形のフラップ３２が各々折罫線３４で区切られて設けられている。側面１６の、側面同士の連接方向に対して直角な方向の両端部には、フラップ３２よりも大きい矩形の内蓋片３６が、折罫線３８で区切られて各々設けられている。側面１８の、側面同士の連接方向に対して直角な方向の両端部には、フラップ３２と同形状のフラップ４０が折罫線４２で区切られて各々設けられている。
【００１６】
側面２０の側面同士の連接方向に対して直角な方向の両端部には、内蓋片３６より少し大きい矩形の外蓋片４４が、折罫線４６で区切られて各々設けられている。側面２０の、一方の端部の折罫線４６は、箱体形成片１２の厚みを貫通する全切線が断続して形成された破断線４８で形成され、他方の折罫線４６は、押し罫線で形成されている。
【００１７】
破断線４８は、所定長さの全切線が所定間隔を開けて連続して形成され、破断線４８の長手方向の中間には長い全切線４８ａが１本設けられている。全切線４８ａの両脇に位置するその他の全切線は、全切線４８ａ側に位置する端部に、全切線の端部から離れるにつれて外蓋片４４の先端中心に近づく方向に傾斜する短い全切線が交差して設けられ、全切線４８ａ側から切断しやすいジッパー線となっている。
【００１８】
側面２０の、破断線４８に接する端部には、一対の開封用切断線５０が設けられている。各開封用切断線５０は、１本の全切線で設けられ、一対の開封用切断線５０の間隔は使用者の指が入る程度の長さであり、互いに平行に設けられている。開封用切断線５０は、破断線４８に対して略直角に形成され、破断線４８側の端部は、破断線４８との間に短い切り残し部４９を介して位置している。開封用切断線５０の、破断線４８とは反対側の端部は、例えば破断線４８から５ｍｍ程度離れた位置にある。一対の開封用切断線５０と破断線４８で囲まれた部分は、包装用箱１０を開封する時に押す押し部５２となる。一対の開封用切断線５０で挟まれた押し部５２は、破断線４８の、長手方向の中間付近に設けられ、中間に位置する長い全切線４８ａを含んでいる。
【００１９】
破断線４８で区切られて設けられている一方の外蓋片４４には、押し部５２に対向する位置に、開封する操作がわかり易いように文字と三角形が印刷された印刷部５１が設けられている。
【００２０】
次に、この実施形態の包装用箱１０の組立方法について説明する。ここでは、図２が包装用箱１０の箱体形成片１２の表面を見たものであり、箱体形成片１２の表面が凸になる折り方を正折り、そして裏面が凸になる折り方を逆折りと称する。
【００２１】
まず、糊付片２２の表面に糊５４を塗布し、折罫線２８を正折りし、さらに折罫線２４を正折りする。これにより糊付片２２は側面１４の裏面に糊付けされ、箱体形成片１２は折り畳み状態となり、この折り畳んだ状態で出荷される。
【００２２】
次に、収容物を収容し包装する工場等において、折罫線２４，２６，２８，３０を各々９０°に正折りして四角形の筒体にし、筒体の一方の端部で、折罫線３４，４２でフラップ３２，４０を正折りし、その後折罫線３８で内蓋片３６を正折りし、外蓋片４４の裏面に糊５６を塗布し、折罫線４６で外蓋片４４を正折りし、内蓋片３６の表面に外蓋片４４の裏面を糊付けして一方の端面を形成する。この状態で、図示しない収容物を包装用箱１０の中に入れる。そして、他方の端部で、同様に折罫線３４，４２でフラップ３２，４０を正折りし、その後折罫線３８で内蓋片３６を正折りし、外蓋片４４の裏面に糊５６を塗布し、折罫線４６で外蓋片４４を正折りし、内蓋片３６の表面に外蓋片４４の裏面を糊付けして他方の端面も形成し、包装が完了する。なお、折罫線４６が破断線４８で設けられている端部が先に組み立てられてもよく、逆でも良く、順番は自由である。
【００２３】
次に、この実施形態の包装用箱１０の使用方法について説明する。収容物を取り出す時は、側面２０の押し部５２を浅く押し、開封用切断線５０と破断線４８の間の切り残し部４９を切断する。押し部５２をさらに押して僅かに包装用箱１０の内側にへこませる。これにより、外蓋片４４の破断線４８の全切線４８ａが位置する側縁部との間に段差が生じ、外蓋片４４が突出したようになる。突出した外蓋片４４の側縁部の裏面に指を入れ、文字と三角形が印刷された印刷部５１に従って、引き上げる。すると、全切線４８ａの両脇に位置する破断線４８が切断され、図１（ｂ）に示すように、外蓋片４４と、外蓋片４４に糊付けされた内蓋片３６が引き上げられ開封される。次に、フラップ３２，４０も引き起こし、開口させ、開口から収容物を取り出す。
【００２４】
この実施形態の包装用箱１０によれば、簡単な構造で、側面を浅く押すだけで容易に開封することができる。収容物が、側面２０の裏面に隙間なく当接していても、側面２０の外蓋片４４に近い端部に位置する押し部５２を少し押すだけで、外蓋片４４を引き上げる際の手がかりを形成することができる。手がかりを保持して外蓋片４４を引き上げることにより、外蓋片４４と側面２０の間に位置する破断線４８を切断して、簡単に開封することができる。破断線４８の、押し部５２に対面する位置には、長い全切線４８ａが位置しているため、外蓋片４４を引き上げる際の手がかりを形成しやすい。外蓋片４４を引き上げながら破断線４８を切断して開封するため、力が入れやすく、容易に破断線４８を切断することができる。さらに、外蓋片４４には印刷部５１が設けられ、開け方がわかり易い。構造がシンプルであり、また開封用切断線５０と破断線４８の間には切り残し部４９が設けられ、押し部５２が他の部材に引っ掛かることが無く、従来の包装用箱１０の製造方法を変更することが無い。
【００２５】
次にこの発明の第二実施形態について図３に基づいて説明する。なお、ここで、上記実施形態と同様の部材は同様の符号を付して説明を省略する。この実施形態の包装用箱６０は、紙製等の一枚のシートを打ち抜いて形成された箱体形成片６２を組み立てて設けられている。
【００２６】
図３は、箱体形成片６２を表面から見た展開図であり、箱体形成片６２は、側面１４，１６，１８，２０が、互いに平行に連接して形成されている。側面２０の、側面同士の連接方向に対して直角な方向の両端部には、側面１４，１６，１８，２０が筒体に組み立てられた端部に位置する開口を一枚で閉鎖する矩形の蓋片６４が、折罫線６６で区切られて設けられている。蓋片６４の折罫線６６とは反対側の端部には、差込片６８が折罫線７０で区切られて設けられている。側面２０の、蓋片６４を区切る折罫線６６は、箱体形成片６２の厚みを貫通する全切線が断続して形成された破断線４８で形成され、外蓋片４４を区切る折罫線４６は、押し罫線で形成されている。
【００２７】
破断線４８は、所定長さの全切線が所定間隔を開けて連続して形成され、破断線４８の長手方向の中間には長い全切線４８ａが１本設けられている。全切線４８ａの両脇に位置するその他の全切線は、全切線４８ａ側から切断しやすいジッパー線となっている。側面２０の、破断線４８に接する端部には、一対の開封用切断線５０が設けられている。開封用切断線５０は、破断線４８に対して略直角に形成され、破断線４８側の端部は、破断線４８との間に短い切り残し部４９を介して位置している。一対の開封用切断線５０と破断線４８で囲まれた部分は、包装用箱６０を開封する時に押す押し部５２となる。一対の開封用切断線５０で挟まれた押し部５２は、破断線４８の、長手方向の中間付近に設けられ、中間に位置する長い全切線４８ａを含んでいる。
【００２８】
側面１８の、側面２０の破断線４８に連続する端部には、変形した矩形のフラップ４１が折罫線４３で区切られて各々設けられている。フラップ４１は、折罫線２８の延長に位置する側縁部は折罫線２８に対して平行であり、折罫線２６の延長に位置する側縁部は折罫線４３から離れるにつれて折罫線２６の延長線から離れる方向に傾斜して設けられている。側面１８の折罫線４３とは反対側の端部には、矩形のフラップ４０が折罫線４２で区切られて設けられている。
【００２９】
側面１６の、側面１８の折罫線４３に連続する端部１６ａには、他部材は何も設けられていない。側面１６の、端部１６ａとは反対側の両端部には、外蓋片４４よりも小さい矩形の内蓋片３６が、折罫線３８で区切られて設けられている。
【００３０】
側面１４の、側面１６の端部１６ａに連続する端部には、フラップ４１と線対称の形状のフラップ３３が折罫線３５で区切られて設けられている。フラップ３３は、側面１４の、折罫線２４とは反対側の側縁部の延長に位置する側縁部は、側面１４の側縁部に対して平行であり、折罫線２４の延長に位置する側縁部は、折罫線３５から離れるにつれて折罫線２４の延長線から離れる方向に傾斜して設けられている。側面１４の、折罫線３５とは反対側の端部には、フラップ４０と同形状のフラップ３２が折罫線３４で区切られて設けられている。
【００３１】
次に、この実施形態の包装用箱６０の組立方法について説明する。ここでは、図３が包装用箱６０の箱体形成片６２の表面を見たものであり、箱体形成片６２の表面が凸になる折り方を正折り、そして裏面が凸になる折り方を逆折りと称する。
【００３２】
上記実施形態と同じ方法で四角形の筒体にし、筒体の一方の端部で、折罫線３４，４２でフラップ３２，４０を正折りし、その後折罫線３８で内蓋片３６を正折りし、外蓋片４４の裏面に糊５６を塗布し、折罫線４６で外蓋片４４を正折りし、内蓋片３６の表面に外蓋片４４の裏面を糊付けして一方の端面を形成する。この状態で、収容物を包装用箱６０の中に入れる。そして、他方の端部で、折罫線３５，４３でフラップ３３，４１を正折りし、その後差込片６８の表面に糊７２を塗布し、折罫線７０で差込片６８を９０°に正折りし、折罫線６６で蓋片６４を９０°に正折りして、差込片６８を側面１６の端部１６ａから裏面に沿って差し込む。差込片６８は、糊７２により側面１６の裏面に糊付けされ、他方の端面も形成し、包装が完了する。なお、蓋片６４が設けられている端部が先に組み立てられてもよく、逆でも良く、順番は自由である。
【００３３】
この実施形態の包装用箱６０の使用方法は、上記実施形態と同様であり、同様の効果を有するものである。蓋片６４が差込片６８で封止されるタイプの包装用箱６０でも、側面２０の、蓋片６４に近い端部に位置する押し部５２を少し押すだけで、蓋片６４を引き上げる際の手がかりを形成し、簡単に開封することができる。構造がシンプルであり、また開封用切断線５０と破断線４８の間には切り残し部４９が設けられ、押し部５２が他の部材に引っ掛かることが無く、従来の包装用箱６０の製造方法を変更することが無い。
【００３４】
なお、この発明の包装用箱は、上記各実施形態に限定されるものではなく、各部材の形状は収容物の形状や数に合わせて適宜変更可能である。印刷部は上記以外でも良く、わかり易いものであればよい。開封用切断線と破断線は、筒体の両側の蓋片に各々設けてもよく、一方の蓋片を開封した後に、残りの蓋片を側面から容易に切り離して、廃棄用に平坦に折り畳むことができる。
【符号の説明】
【００３５】
１０，６０  包装用箱
１２，６２  箱体形成片
１４，１６，１８，２０  側面
３６  内蓋片
４４  外蓋片
４８  破断線
４８ａ  全切線
４９  切り残し部
５０  開封用切断線
５２  押し部
６４  蓋片
【図１】
2020001702.tif 000003
【図２】
2020001702.tif 000004
【図３】
2020001702.tif 000005